(57)【要約】【課題】  誰から録画予約されたかを意識して視聴することが可能となるコンテンツ蓄積装置を提供する【解決手段】  コンテンツ蓄積装置１は、コンテンツを蓄積するコンテンツ蓄積手段と、コンテンツ蓄積手段に蓄積済あるいは蓄積する予定のコンテンツの情報と、該コンテンツの蓄積の指示を行なったコンテンツ蓄積指示者とを関連付けて、コンテンツ蓄積情報として記憶するコンテンツ蓄積情報記憶手段３とを備える。【選択図】  図１
2005341164.tif 000002
【特許請求の範囲】
【請求項１】
コンテンツを蓄積するコンテンツ蓄積手段と、
前記コンテンツ蓄積手段に蓄積済あるいは蓄積する予定のコンテンツの情報と、該コンテンツの蓄積の指示を行なったコンテンツ蓄積指示者とを関連付けて、コンテンツ蓄積情報として記憶するコンテンツ蓄積情報記憶手段とを備えるコンテンツ蓄積装置。
【請求項２】
前記コンテンツ蓄積情報記憶手段は、前記コンテンツの情報と、該コンテンツの情報を見せたい対象者であるところの蓄積対象者とを関連付けて記憶する手段をさらに備えることを特徴とする請求項１に記載のコンテンツ蓄積装置。
【請求項３】
前記コンテンツ蓄積情報記憶手段に記憶されている、前記蓄積する予定のコンテンツの情報に基づいて、該コンテンツを前記コンテンツ蓄積手段に蓄積するコンテンツ蓄積実行手段をさらに備えることを特徴とする、請求項１または２に記載のコンテンツ蓄積装置。
【請求項４】
入力を受け付ける入力受付手段と、
前記入力受付手段が受け付けた入力の内容に基づいて、前記コンテンツの表示を指示するコンテンツ表示指示入力処理、前記コンテンツ蓄積情報の表示を指示するコンテンツ蓄積情報表示入力処理あるいは、前記コンテンツの蓄積の依頼を指示するコンテンツ蓄積依頼入力処理のいずれかを行う入力処理手段とを備えることを特徴とする、請求項１から３のいずれかに記載のコンテンツ蓄積装置。
【請求項５】
前記コンテンツを表示するコンテンツ表示手段を備え、
前記入力受付手段で受け付けた入力が前記コンテンツ表示指示入力である場合に、
前記入力処理手段は、前記コンテンツ表示手段に前記コンテンツの表示の指示を行い、
前記コンテンツ表示手段は、該指示に基づいて前記コンテンツ蓄積手段に蓄積しているコンテンツを表示することを特徴とする、請求項４に記載のコンテンツ蓄積装置。
【請求項６】
前記コンテンツ蓄積情報を表示するコンテンツ蓄積情報表示手段を備え、
前記入力受付手段で受け付けた入力が前記コンテンツ蓄積情報表示指示入力である場合に、
前記入力処理手段は、前記コンテンツ蓄積情報表示手段に前記コンテンツ蓄積情報の表示の指示を行い、
前記コンテンツ蓄積情報表示手段は、前記指示に基づいて前記コンテンツ蓄積情報記憶手段に記憶されている前記コンテンツ蓄積情報の一部、あるいは全部を表示することを特徴とする、請求項４に記載のコンテンツ蓄積装置。
【請求項７】
前記入力受付手段で受け付けた入力がコンテンツ蓄積依頼入力である場合に、
前記入力処理手段は、前記コンテンツ蓄積情報記憶手段に、前記蓄積する予定のコンテンツの情報および該コンテンツの蓄積の指示を行なったコンテンツ蓄積指示者、あるいは、蓄積する予定のコンテンツの情報、該コンテンツの蓄積の指示を行なったコンテンツ蓄積指示者および該コンテンツを見せたい対象者であるところのコンテンツ蓄積対象者を含むコンテンツ蓄積情報を記憶させる指示を行い、
前記コンテンツ蓄積情報記憶手段は、該指示に基づいて前記コンテンツ蓄積情報を記憶することを特徴とする、請求項４に記載のコンテンツ蓄積装置。
【請求項８】
特定のコンテンツ蓄積指示者によって指定されたコンテンツを優先的に前記コンテンツ表示手段に表示させるための優先者情報あるいは特定のコンテンツ蓄積指示者によって指定されたコンテンツ蓄積情報を優先的に前記コンテンツ蓄積情報表示手段に表示させるための優先者情報を記憶する優先者情報記憶手段をさらに備えることを特徴とする、請求項１から７のいずれかに記載のコンテンツ蓄積装置。
【請求項９】
前記入力処理手段は、前記入力受付手段が受け付けた該入力に基づいて、前記優先者情報記憶手段に前記特定のコンテンツ蓄積指示者を記憶させる指示を行なう優先者情報入力手段をさらに備える請求項８に記載のコンテンツ蓄積装置。
【請求項１０】
前記コンテンツ蓄積情報表示手段は、前記コンテンツ蓄積情報記憶手段に記憶されたコンテンツ蓄積情報から、前記優先者情報記憶手段に記憶された前記特定のコンテンツ蓄積指示者によってその蓄積を指示されたコンテンツ蓄積情報を抽出する手段を備えることを特徴とする、請求項８または請求項９に記載のコンテンツ蓄積装置。
【請求項１１】
前記コンテンツ蓄積実行手段は、前記優先者情報記憶手段に記憶された前記特定のコンテンツ蓄積指示者によってその蓄積を指示されたコンテンツを優先させて前記コンテンツ蓄積手段に蓄積させることを特徴とする、請求項８から１０のいずれかに記載のコンテンツ蓄積装置。
【発明の詳細な説明】
【技術分野】
【０００１】
本発明は、一般にコンテンツ蓄積装置に関するものであり、より特定的には、誰から録画予約されたものであるかを意識して視聴することができるように改良されたコンテンツ蓄積装置に関する。
【背景技術】
【０００２】
従来、テレビ放送などを録画するビデオ録画機は、ビデオテープに録画するものであった。ビデオテープへの録画においては、録画可能な時間は高々６時間程度であり、テープ残量を気にして、視聴したい欲求が高い番組を選別して録画していた。今日ではＤＶＤ（Digital Versatile Disk）やＨＤＤ（Hard Disk Drive）などの大容量記憶装置あるいは記憶媒体が、ビデオテープに取って代わるＰＶＲ（Personal Video Recorder）として開発された。ＰＶＲは、さほど視聴欲求が高くない番組でも「とりあえず録画だけ」と、気楽に録画することを可能にした。
【０００３】
しかし、録画される番組が増加するため、録画した番組一覧の中から、今見たい番組を探すことが困難である。さらには、一台のＰＶＲを家族で共有して使うときには、家族の各人が各々録画予約を行うので、さらに録画される番組が増える結果となり、ますます、見たい番組を探すことが困難になっている。さらには、家族の誰かが予約した番組を、予約した人以外の人が消してしまい、予約した人が見られなくなっている。これらは、誰が録画予約したのかをユーザに提示していない、さらには、管理すらしていないことに起因している。
【０００４】
こういった問題に対し、複数ユーザが一台のビデオを操作する際に、リモコンに備えられたスイッチを設定する、あるいは、各ユーザに割り当てられたＩＣカードをＰＶＲに装着することなどにより、入力がどのユーザからのものであるか識別し、番組予約や録画予約をユーザごとに管理する、という技術が提案されている（例えば特許文献１参照）。この技術により、各自用の録画予約リストが生成され、ユーザは少なくとも、自分の録画予約リストを見ることで、他の人が録画予約したビデオを省いて、効率よく、自分の録画予約したビデオを探すことが可能となった。
【０００５】
【特許文献１】特開２００１−３６８２５号公報
【発明の開示】
【発明が解決しようとする課題】
【０００６】
しかし、特許文献１に開示された方法では、自分用の録画予約リストには、自分が録画予約したものしか登録されないため、自分以外の誰かのために番組を薦める目的で録画予約をしてあげる、代行する、ということが実現できない。例えば、Ａさんが、Ｂさんのために録画予約をしてあげる場合、Ａさんが録画予約を行うと、Ａさんの録画予約リストに入れられてしまうため、Ｂさんは見ることができない。もちろん、ＡさんがＢさんになりすますことによって、Ｂさんの録画予約リストへ入れられるように録画予約することは可能となるが、Ｂさんが自分の録画予約リストを見たときには、Ｂさんが自身で録画予約したものも、ＡさんがＢさんになりすまして録画予約したものも、区別できなくなってしまう。
【０００７】
本発明は、上記課題に基づいてなされたもので、誰から録画予約されたかを意識して視聴することが可能となるコンテンツ蓄積装置を提供することを目的とする。
【０００８】
この発明の他の目的は、誰のために蓄積されたコンテンツであるかがわかるコンテンツ蓄積装置を提供することにある。
【０００９】
この発明のさらに他の目的は、特定のコンテンツあるいは特定のコンテンツ蓄積情報を優先的に表示することのできるコンテンツ蓄積装置を提供することにある。
【課題を解決するための手段】
【００１０】
この発明にかかるコンテンツ蓄積装置は、コンテンツを蓄積するコンテンツ蓄積手段を備え、さらに上記コンテンツ蓄積手段に蓄積済あるいは蓄積する予定のコンテンツの情報と、該コンテンツの蓄積の指示を行なったコンテンツ蓄積指示者とを関連付けて、コンテンツ蓄積情報として記憶するコンテンツ蓄積情報記憶手段とを備える。
【００１１】
この発明によれば、コンテンツ蓄積指示者と蓄積済あるいは蓄積する予定のコンテンツとを関連付けて管理できるため、ユーザによる、蓄積済あるいは蓄積する予定のコンテンツの視聴優先順位の意思決定を補助することができる。例えば、蓄積の指示を行ったユーザがある特定のユーザであるようなコンテンツをまず見る、といったようにユーザの視聴優先順位の意思決定を補助できる。
【００１２】
なお、本明細書中において、「コンテンツ」とは、動画、静止画、音声などのマルチメディアデータを指すものとする。これらマルチメディアデータの入手経路は、インターネットを経由して得た動画、静止画、音声などのマルチメディアデータ、テレビ放送（地上波、衛星、デジタル、アナログを問わない）、ラジオ放送（アナログ、デジタルを問わない）などを想定するものとする。また、「蓄積」とは、録画、録音、記憶、などを指すこととする。また、コンテンツ蓄積情報は、コンテンツ蓄積手段に蓄積済のコンテンツの情報と、蓄積する予定のコンテンツの情報との双方を含む。
【００１３】
この発明の好ましい実施態様によれば、上記コンテンツ蓄積情報記憶手段は、上記コンテンツの情報と、該コンテンツの情報を見せたい対象者であるところの蓄積対象者とを関連付けて記憶する手段をさらに備える。
【００１４】
これにより、蓄積指示者と蓄積対象者と蓄積コンテンツとを関連付けて管理できるため、ユーザによる蓄積コンテンツの視聴優先順位の意思決定を補助することができる。例えば、蓄積対象者がある特定のユーザであるようなコンテンツをまず見る、といったようにユーザの視聴優先順位の意思決定を補助できる。
【００１５】
この発明のさらに好ましい実施態様によれば、上記コンテンツ蓄積情報記憶手段に記憶されている、上記蓄積する予定のコンテンツの情報に基づいて、該コンテンツを上記コンテンツ蓄積手段に蓄積するコンテンツ蓄積実行手段をさらに備える。
【００１６】
これにより、蓄積する予定のコンテンツを実際に蓄積することができる。例えば、予約に基づいて録画することができる。
【００１７】
この発明のさらに好ましい実施態様によれば、入力を受け付ける入力受付手段と、上記入力受付手段が受け付けた入力の内容に基づいて、上記コンテンツの表示を指示するコンテンツ表示指示入力処理、上記コンテンツ蓄積情報の表示を指示するコンテンツ蓄積情報表示入力処理あるいは、上記コンテンツの蓄積の依頼を指示するコンテンツ蓄積依頼入力処理のいずれかを行う入力処理手段とを備える。
【００１８】
これにより、入力を受け付けることができる。
【００１９】
この発明のさらに好ましい実施態様によれば、上記コンテンツを表示するコンテンツ表示手段を備え、上記入力受付手段で受け付けた入力が上記コンテンツ表示指示入力である場合に、上記入力処理手段は、上記コンテンツ表示手段に上記コンテンツの表示の指示を行い、上記コンテンツ表示手段は、該指示に基づいて上記コンテンツ蓄積手段に蓄積しているコンテンツを表示する。
【００２０】
これにより、入力に基づいてコンテンツを表示させることができる。例えば、再生することができる。
【００２１】
この発明のさらに好ましい実施態様によれば、上記コンテンツ蓄積情報を表示するコンテンツ蓄積情報表示手段を備え、上記入力受付手段で受け付けた入力が上記コンテンツ蓄積情報表示指示入力である場合に、上記入力処理手段は、上記コンテンツ蓄積情報表示手段に上記コンテンツ蓄積情報の表示の指示を行い、上記コンテンツ蓄積情報表示手段は、該指示に基づいて上記コンテンツ蓄積情報記憶手段に記憶されている上記コンテンツ蓄積情報の一部、あるいは全部を表示する。
【００２２】
これにより、入力に基づいてコンテンツ蓄積情報を表示させることができる。例えば、一覧表示することができる。
【００２３】
この発明のさらに好ましい実施態様によれば、上記入力受付手段で受け付けた入力がコンテンツ蓄積依頼入力である場合に、上記入力処理手段は、上記コンテンツ蓄積情報記憶手段に、上記蓄積する予定のコンテンツの情報および該コンテンツの蓄積の指示を行なったコンテンツ蓄積指示者、あるいは、蓄積する予定のコンテンツの情報、該コンテンツの蓄積の指示を行なったコンテンツ蓄積指示者および該コンテンツを見せたい対象者であるところのコンテンツ蓄積対象者を含むコンテンツ蓄積情報を記憶させる指示を行い、上記コンテンツ蓄積情報記憶手段は、上記指示に基づいて上記コンテンツ蓄積情報を記憶する。
【００２４】
これにより、例えば、予約を記憶させることができる。
【００２５】
この発明のさらに好ましい実施態様によれば、特定のコンテンツ蓄積指示者によって指定されたコンテンツを優先的に上記コンテンツ表示手段に表示させるための優先者情報あるいは特定のコンテンツ蓄積指示者によって指定されたコンテンツ蓄積情報を優先的に上記コンテンツ蓄積情報表示手段に表示させるための優先者情報を記憶する優先者情報記憶手段を備える。
【００２６】
これにより、優先者情報を記憶させることができる。例えばコンテンツ蓄積指示者が「父」、「母」、「私」であるような複数のコンテンツがコンテンツ蓄積装置に混在する場合に、コンテンツ蓄積指示者が「父」であるコンテンツを優先的に表示させるために、優先者情報を「父」と記憶させることができる。
【００２７】
この発明のさらに好ましい実施態様によれば、上記入力処理手段は、上記入力受付手段が受け付けた該入力に基づいて、上記優先者情報記憶手段に上記特定のコンテンツ蓄積指示者を記憶させる指示を行なう優先者情報入力手段をさらに備える。
【００２８】
これにより、特定のコンテンツ蓄積指示者を優先者として記憶させることができる。
【００２９】
この発明のさらに好ましい実施態様によれば、上記コンテンツ蓄積情報表示手段は、上記コンテンツ蓄積情報記憶手段に記憶されたコンテンツ蓄積情報から、上記優先者情報記憶手段に記憶された上記特定のコンテンツ蓄積指示者によってその蓄積を指示されたコンテンツ蓄積情報を抽出する手段を備える。
【００３０】
これにより、上記優先者情報記憶手段に記憶された上記特定のコンテンツ蓄積指示者によってその蓄積を指示されたコンテンツ蓄積情報が抽出される。
【００３１】
この発明のさらに好ましい実施態様によれば、上記コンテンツ蓄積実行手段は、上記優先者情報記憶手段に記憶された上記特定のコンテンツ蓄積指示者によってその蓄積を指示されたコンテンツを優先させて上記コンテンツ蓄積手段に蓄積させる。
【００３２】
これにより、例えば、複数の録画予約が同時間帯に集中したときに、上記特定のコンテンツ蓄積指示者によってその蓄積を指示されたコンテンツを優先させて録画を行なうことができる。
【発明の効果】
【００３３】
以上説明したように、本発明によれば、蓄積指示した者が誰であるかを意識して、コンテンツの一覧を見渡すことが可能となり、コンテンツ視聴の際には、蓄積指示者を提示することによって、ユーザがコンテンツを視聴する際の優先順位付けを行なうことが可能となる。
【発明を実施するための最良の形態】
【００３４】
誰から録画予約されたかを意識して視聴することができるコンテンツ蓄積装置を得るという目的を、コンテンツ蓄積指示者と蓄積コンテンツとを関連付けて管理するということによって実現した。以下、実施例を、図面を用いて説明する。
【実施例１】
【００３５】
図１は、実施例１にかかるシステムの概略図である。図１を参照して、システム７は、少なくとも、コンテンツ管理テーブル３を含むコンテンツ蓄積装置１と、コンテンツ蓄積装置１を操作するリモコン２で構成される。コンテンツ蓄積装置１は、コンテンツの蓄積の依頼を有線あるいは無線の経路を経て受信し、コンテンツ管理テーブル３に、コンテンツの情報と、該コンテンツの蓄積の依頼を行ったコンテンツ蓄積指示者の情報とを関連付けてコンテンツ蓄積情報として記憶し、管理する。
【００３６】
コンテンツ蓄積装置１は、コンテンツ管理テーブル３に管理されている情報をユーザに対して適宜通知する、あるいは、ユーザからの指示に基づいて通知する。これは、ユーザが蓄積されたコンテンツを視聴する際の、視聴優先順位の意思決定を補助することを可能とする。例えば、蓄積装置１が「私」のものであったとする。蓄積装置１は、「私」以外の人からのコンテンツの蓄積の依頼を受け付け、この蓄積依頼に基づいて、蓄積を実行する。
【００３７】
ユーザ「私」は、「私」のコンテンツ蓄積リストをコンテンツ管理テーブル３により見ることができる。こうして、ユーザ「私」は、「私が録画予約した「映画」は、今度時間を取ってみよう。」「父が録画予約した「教育番組」は、これまであまり面白くないものが多かったから、後回しにしよう」「私が録画予約した「サッカー」は、確か中村選手が大活躍する試合だったから、とりあえず、これを見よう」などと、どのコンテンツから見るかについての意思決定をすることができる。つまり、コンテンツ管理テーブル３に、蓄積指示者とコンテンツとを関連付けておくことで、ユーザの視聴優先順位の意思決定を補助することが可能となっている。
【００３８】
コンテンツ管理テーブル３は、すでに蓄積済みのコンテンツと、これから蓄積する予定のコンテンツについて管理している。これらは、異なる記憶媒体またはメモリ上の別々の領域など、物理的に別々に管理されていても構わない。
【００３９】
図２は、本実施例にかかるコンテンツ蓄積装置１の構成および機能を説明するための図である。図１と２を参照して、コンテンツ蓄積装置１は、入力受付部２ａで入力を受け付けると、入力処理部２ｂで、入力の内容に応じて処理を行う。入力処理部２ｂの処理内容は、下記に説明するコンテンツ表示指示入力処理、コンテンツ蓄積情報表示指示入力処理、コンテンツ蓄積依頼入力処理の３つである。
【００４０】
コンテンツ表示指示入力処理では、コンテンツ表示部２ｇへ、コンテンツ表示指示入力によって指定された、コンテンツ蓄積部２ｆに蓄積しているコンテンツの表示を指示する。コンテンツ蓄積情報表示指示入力処理では、コンテンツ蓄積情報表示部２ｃへコンテンツの蓄積情報の表示を指示する。コンテンツ蓄積依頼入力処理では、蓄積の依頼がされたコンテンツ蓄積依頼情報（蓄積する予定のコンテンツの蓄積依頼情報）をコンテンツ蓄積情報記憶部（コンテンツ管理テーブル）２ｄへ記憶させる。
【００４１】
コンテンツ蓄積情報記憶部２ｄは、コンテンツ管理テーブル３を保持している。コンテンツ蓄積情報記憶部２ｄは、入力処理部２ｂからのコンテンツ蓄積依頼情報の記憶命令を受けると、蓄積指示者と蓄積予定のコンテンツを特定する情報とを関連付けて、コンテンツ管理テーブル３に記憶する。いわゆる予約の記録である。
【００４２】
コンテンツ蓄積実行部２ｅは、コンテンツ蓄積情報記憶部２ｄに記憶されたコンテンツ蓄積依頼情報に基づいて、該コンテンツの蓄積を実行する。いわゆる予約に基づいての録画である。例えば、コンテンツ蓄積情報記憶部２ｄには、ＴＶ放送の放送開始時刻、放送終了時刻、放送チャネルが記憶され、コンテンツ蓄積実行部２ｅはタイマを持ち、該放送開始時刻になると、該放送チャネルの放送の蓄積を開始し、該放送終了時刻になると、蓄積を終了する。そして、少なくとも蓄積したコンテンツと、コンテンツ蓄積指示者とを関連付けてコンテンツ管理テーブル３に記憶する。
【００４３】
コンテンツ蓄積情報表示部２ｃは、入力処理部２ｂからのコンテンツ蓄積情報の表示指示を受けて、コンテンツ蓄積情報記憶部２ｄに記憶されたコンテンツ蓄積情報を取得し、外部に出力する。例えば、一覧表示をする。
【００４４】
コンテンツ表示部２ｇは、入力処理部２ｂからのコンテンツの表示指示を受けて、コンテンツ蓄積部２ｆに蓄積されたコンテンツを取得し、外部に出力する。いわゆる再生である。
【００４５】
図３は、入力処理部の処理の流れを示すフローチャートである。図２と図３を参照して、入力処理部２ｂは、入力受付部２ａからユーザ入力を取得すると（ステップ３ａ）、その入力がコンテンツ表示指示処理、コンテンツ蓄積情報表示指示処理、コンテンツ蓄積依頼処理のどの処理を要求するものか判断する（ステップ３ｂ、３ｃ、３ｄ）。
【００４６】
ユーザ入力がコンテンツ表示指示入力である場合、入力処理部２ｂはコンテンツ表示部２ｇに対し、コンテンツ蓄積部２ｆに蓄積された、コンテンツ表示指示入力が示すコンテンツの表示を指示する（ステップ３ｅ）。
【００４７】
ユーザ入力がコンテンツ蓄積情報表示指示入力である場合、入力処理部２ｂはコンテンツ蓄積情報表示部２ｃに対し、コンテンツ蓄積情報記憶部２ｄに記憶されたコンテンツ蓄積情報の表示を指示する（ステップ３ｆ）。
【００４８】
ユーザ入力がコンテンツ蓄積依頼入力である場合、入力処理部２ｂはコンテンツ蓄積依頼情報をコンテンツ蓄積情報記憶部２ｄに記憶する（ステップ３ｇ）。
【００４９】
例えば、図１と図２と図３を参照して、入力処理部２ｂは、コンテンツ蓄積装置１に蓄積されているコンテンツのうち、あるコンテンツを指定するような入力を受け付け、リモコン２に備えられたコンテンツの表示を指示する、例えば、「再生」のようなボタンが押下されることによるコンテンツの再生指示、あるいは、表示指示を受け付けると、該入力はコンテンツ表示指示入力であると判断する。
【００５０】
また、リモコン２に備えられたコンテンツ蓄積装置１に蓄積されたコンテンツの一部あるいは全部の情報の表示を指示する、例えば「録画一覧表示」のようなボタンが押下されることによる入力を受け付けると、またはコンテンツ蓄積装置１に蓄積予約されているコンテンツの一部あるいは全部の情報の表示を指示する、例えば「録画予約一覧表示」のようなボタンが押下されることによる入力を受け付けると、該入力はコンテンツ蓄積情報表示指示入力であると判断する。
【００５１】
さらに、本コンテンツ蓄積装置１は、リモコンコードと入力内容を対応付けるテーブルを保持し、「録画一覧表示」や「録画予約一覧表示」のようなボタンが押下されると、それぞれに固有に割り当てられたリモコンコードが入力され、それぞれの入力であることを判断する。
【００５２】
そして、コンテンツ蓄積依頼情報を受信すると、入力がコンテンツ蓄積依頼入力であると判断する。コンテンツ蓄積依頼情報は、例えば次のように受信する。入力受付部２ａは、リモコン２に備えられた、コンテンツ蓄積依頼情報入力画面の表示を指示する、「予約」のようなボタンが押下されると、図４のような、例えばＴＶ放送の開始日時、受信チャネル、蓄積依頼指示者などの情報を入力するための画面を表示する。この画面は入力受付部２ａが保持すればよい。そして、ユーザが各項目を入力、あるいは選択し、コンテンツ蓄積依頼情報の入力の完了を指示する、「決定」のようなボタンが押下されることによる入力を受け付けると、該入力がコンテンツ蓄積依頼情報であると判断する。
【００５３】
コンテンツ蓄積依頼情報の構成要素について、図５を用いて説明する。コンテンツ蓄積依頼情報は、少なくとも、コンテンツを特定するための情報と、コンテンツ蓄積指示者の情報を構成要素として含む。コンテンツを特定するための情報とは、例えば、ＴＶ番組の放送日、番組の開始時刻、終了時刻、番組の受信チャネルなどの情報を含む。なお、コンテンツ蓄積依頼情報は、ＴＶ番組の放送日、番組の開始時刻などのコンテンツを特定するための情報と、コンテンツ蓄積指示者の情報とで構成される。なお、入力処理部２ｂが１つのコンテンツ蓄積依頼情報を取得すると、ＴＶ番組の放送日、コンテンツ蓄積指示者などのコンテンツ蓄積依頼情報を構成する各要素を取得できれば、どのようなデータ構造で構成してもよい。
【００５４】
図６は、コンテンツ蓄積情報記憶部２ｄが入力処理部２ｂからコンテンツ蓄積依頼情報の記憶を指示されたときの処理の流れを示すフローチャートである。
【００５５】
図２と図６を参照して、コンテンツ蓄積情報記憶部２ｄは、図５に示したようなコンテンツ蓄積依頼情報を受け取ると、コンテンツを特定するための情報と、コンテンツ蓄積指示者の情報を取得する（ステップ６ａ）。そして、これらの情報を関連付けて、コンテンツ蓄積情報記憶部２ｄ内のコンテンツ管理テーブル３に記憶する（ステップ６ｂ）。例えばＴＶ放送の開始時刻といった、コンテンツの蓄積を開始する時刻が、現時刻に最も近いコンテンツ蓄積依頼情報から順に並ぶように、コンテンツ管理テーブル３に追加し記憶する。あるいは、コンテンツ蓄積依頼情報を受け取った順にソートされるように追加し記憶しても構わない。なお、追加記憶の方法については、特に限定しない。
【００５６】
コンテンツ蓄積実行部２ｅは、タイマを備えており、コンテンツ管理テーブル３に記憶された、コンテンツを特定するために用いていた時間の情報に基づいて、蓄積を実行する。例えばＴＶ放送の開始時刻といったコンテンツの蓄積を開始する情報のうち、あるコンテンツの蓄積を開始する時刻になると、蓄積を開始する。もちろん、コンテンツ蓄積実行部２ｅの持つタイマが管理する現時刻の３秒前、あるいは１分前など少し前の時刻に、ＴＶ放送の受信チャネルといった情報に基づいて、そのコンテンツをコンテンツ蓄積部２ｆに蓄積し始めてもよいことは言うまでもない。そして、コンテンツ蓄積実効部２ｅの持つタイマが管理する現時刻がＴＶ放送の終了時刻といったコンテンツの蓄積を終了する時刻になると、コンテンツの蓄積を終了する。
【００５７】
なお、蓄積したコンテンツには、そのコンテンツを識別するＩＤを付与する。このＩＤは、例えば８桁のランダムな文字列「ｄｆｓ５ｌｆｓ３」のようなものでもよいし、蓄積された順に付与される番号でもよい。すなわち、各コンテンツに一意に割り当てることにより、コンテンツを区別できればよい。そして、少なくとも蓄積したコンテンツと、コンテンツ蓄積指示者とを関連付けて、コンテンツ蓄積情報としてコンテンツ蓄積情報記憶部２ｄのコンテンツ管理テーブル３に記憶する。なお、このとき、蓄積したコンテンツと、コンテンツ蓄積指示者に加え、ＴＶ放送の開始時刻や受信チャネルなどのコンテンツを特定するための情報もあわせて関連付けて記憶してもよい。
【００５８】
図７（Ａ）を用いて、コンテンツ蓄積情報表示部について説明する。図２と図７（Ａ）を参照して、コンテンツ蓄積情報表示部２ｃは、入力処理部２ｂからコンテンツ蓄積情報の表示を指示される（ステップ７ａ）と、コンテンツ蓄積情報記憶部２ｄより、コンテンツ蓄積情報の一部、あるいは全部を取得し（ステップ７ｂ）、表示する（ステップ７ｃ）。コンテンツ蓄積情報には、蓄積しているコンテンツに関する情報（ここでは、コンテンツ管理テーブルに管理しているとしている）と、コンテンツ蓄積依頼情報（これから蓄積する予定のコンテンツに関する情報、具体的には録画予約）がある。あるいは、両方混在する情報を表示することも考えられる。ここでは、コンテンツを識別子の値で識別することとし、またコンテンツ蓄積情報の全てを取得することにする。
【００５９】
なお、上記ステップ７ａのコンテンツ蓄積情報の表示の要求を行なうプログラムの構成要素を図７（Ｂ）に示す。コンテンツ蓄積情報要求識別子は、この要求がコンテンツ蓄積情報を要求するものであることを識別するために用いられる。識別を行なうのは、入力受付部であってもよい。要求対象コンテンツ蓄積情報とは、例えば後述する、誰に対するコンテンツ蓄積情報か（例えば、息子の録画番組リスト）、という情報である。本実施例では、これを含まない場合もあるので、点線で囲んでいる。
【００６０】
図８は、コンテンツ蓄積情報の表示例を示す。図８では、表の各行が１つのコンテンツに対する情報を表している。ここではコンテンツとしてＴＶ放送番組についての情報を表している。表の最も左の列「録画済/予約」の項目は、「録画済」がそのコンテンツが録画済であることを示しており、「予約」がそのコンテンツが録画予約され、これから録画されるものであることを示している。「放送日」の列の項目は、コンテンツの放送日を表している。左４桁の数値が西暦を表しており、次の２桁が月を、そして右の２桁が日を表している。つまり、「２００４０２０５」は西暦２００４年２月５日放送の番組であることを表している。
【００６１】
「開始時刻」「終了時刻」の列は、ＴＶ放送の放送開始時刻、終了時刻を表しており、左２桁で時間を、右２桁が分を表している。「１９５５」は１９時５５分であることを示している。なお、さらに桁数を増やし、秒、ミリ秒などを表示してもよい。「２３５５」を「午後１１５５」や「ＰＭ１１５５」などと表示してもよい。「チャネル」はＴＶ番組の放送受信チャネルを表している。これはＴＶ放送を受信する地域に応じて設定された、ＴＶ放送の受信チャネルである。「８」を「関西テレビ」などといった、放送を送信するＴＶ局名で表示してもよい。
【００６２】
「コンテンツ蓄積指示者」は、そのコンテンツの蓄積指示を行った者を表している。つまり、「コンテンツ蓄積指示者」が「父」であるコンテンツは、「父」が蓄積を指示したコンテンツであることを示している。なお、「録画済／予約」は、図８のように、同時に表示してもよいし、録画済の番組だけ、もしくは録画前であって録画予約された番組だけを表示してもよい。
【００６３】
図９を用いて、コンテンツ表示部について説明する。図２と図９を参照して、コンテンツ表示部２ｇは、入力処理部２ｂからコンテンツの表示を指示される（ステップ９ａ）と、この指示に基づいて、指定されたコンテンツをコンテンツ蓄積部２ｆから取得する（ステップ９ｂ）。そして、取得したコンテンツを表示する（ステップ９ｃ）。いわゆる再生である。
【００６４】
図１０を用いて、表示するコンテンツを指定する様子について説明する。前述のように、ユーザからコンテンツ蓄積情報の表示入力がなされると、図８のようなコンテンツ蓄積情報が表示される。そして、表示されたコンテンツ蓄積情報の中から、ユーザによってリモコンの上下ボタンなどにより表示を指示する対象となるコンテンツが選択されることにより、各コンテンツが指定される。図１０では、上から２番目の、コンテンツ蓄積指示者が「長女」のコンテンツが選択されている様子を示している。
【００６５】
また、リモコンの上下ボタン以外にも、図８のような画面を表示したときに、一番上に表示したコンテンツから順に１，２，３・・と番号を振り、ユーザがリモコンの番号ボタンを押すことによってダイレクトに指示するようにしもよい。このようにして、表示するコンテンツが指定され、表示を指示されると、指定されたコンテンツのＩＤを参照して、該当するコンテンツが表示される。本実施例で説明した構成により、各コンテンツが誰から蓄積指示されたかをユーザが識別できる。
【実施例２】
【００６６】
図１１は、実施例２にかかるコンテンツ管理テーブルの一例である。実施例２にかかるコンテンツ管理テーブルでは、図１１（Ａ）を参照して、コンテンツ蓄積指示者だけでなく、コンテンツ蓄積対象者、つまり、誰に見せたいのか、をさらに関連付けている。図１１（Ｂ）は、その具体例である。
【００６７】
このように、コンテンツ蓄積対象者も関連付けて記憶しておくことで、あるユーザがコンテンツ蓄積情報の表示を指示した場合、コンテンツ蓄積情報表示部２ｃは、そのユーザが誰であるかを識別して、そのユーザが「蓄積対象者」としてコンテンツ管理テーブルに記憶されているコンテンツ蓄積情報を抽出し、表示することができる。例えば、「父」がコンテンツ蓄積情報の表示を指示した場合、コンテンツ蓄積情報表示部は、コンテンツ蓄積対象者が「父」であるコンテンツ蓄積情報を抽出し、表示する。
【００６８】
コンテンツ蓄積依頼情報は、図１２のように構成される。ここでは、父が長男に見せたい番組を予約録画する場合について例示している。図１２を参照して、コンテンツ蓄積依頼情報は、少なくとも、コンテンツを特定するための情報と、コンテンツ蓄積指示者の情報と、コンテンツ蓄積対象者の情報と、を構成要素として含む。コンテンツを特定するための情報は、ＴＶ番組の放送日、番組の開始時刻、終了時刻などを含む。なお、データ構造はこれに限られるものでなく、入力処理部２ｂが１つのコンテンツ蓄積依頼情報を取得したとき、ＴＶ番組の放送日、コンテンツ蓄積指示者、コンテンツ蓄積対象者、などのコンテンツ蓄積依頼情報を構成する各要素が取得され得るものであれば、どのようなデータ構造で構成してもよい。
【００６９】
図１３を用いて、入力処理部の処理について説明する。図２と図１３を参照して、ユーザ入力がコンテンツ蓄積情報表示指示入力である場合（ステップ１３ａ）、入力処理部２ｂは、ユーザにコンテンツ蓄積情報表示指示者を入力させる図１４のような画面を表示する（ステップ１３ｂ）。この画面は入力処理部２ｂが保持している。なお、コンテンツ蓄積情報表示指示者とは、コンテンツ蓄積情報の表示を指示するユーザのことである。
【００７０】
ユーザからコンテンツ蓄積情報表示指示者の情報が入力、あるいは選択され、リモコン２に備えられた「決定」のようなボタンが押下されることによりコンテンツ蓄積情報表示指示者の情報の入力が完了したことを通知される（ステップ１３ｃ）と、入力処理部２ｂはコンテンツ蓄積情報表示部２ｃに対して、コンテンツ蓄積情報表示指示者の情報を伝えるとともに、コンテンツ蓄積情報の表示を指示する（ステップ１３ｄ）。
【００７１】
例えば、コンテンツ蓄積情報表示指示者の情報を「父」と入力した場合には、コンテンツ蓄積情報表示指示者は「父」となる。なお、コンテンツ蓄積情報表示指示者の指定は、必ずしも図１４のようにユーザが直接入力しなければならないわけではなく、音声による話者特定、画像解析によるユーザ特定、指紋認証、虹彩認証、ＲＦＩＤ（Radio Frequency ID）を用いたユーザ特定技術などによって行ってもよい。
【００７２】
図１５を用いて、コンテンツ蓄積情報表示部の処理について説明する。図２と図１５を参照して、コンテンツ蓄積情報表示部は２ｃ、入力処理部２ｂより、コンテンツ蓄積情報表示指示者の情報と、コンテンツ蓄積情報の表示指示を受ける（ステップ１５ａ）と、コンテンツ蓄積情報記憶部２ｄより、コンテンツ蓄積情報の一部、あるいは全部を取得する（ステップ１５ｂ）。そして、コンテンツ蓄積情報表示指示者の情報を参照し、コンテンツ蓄積情報のうち、コンテンツ蓄積対象者とコンテンツ蓄積情報表示指示者とが一致するものを抽出し（ステップ１５ｃ）、表示する（ステップ１５ｄ）。図１６（Ａ）に示す例において、コンテンツ蓄積表示指示者が「長男」であるときの、コンテンツ蓄積情報の抽出例を図１６（Ｂ）に示す。
【実施例３】
【００７３】
なお、上記実施例では、図１に示したシステムを元に説明してきたが、この発明はこれに限られるものでなく、コンテンツ蓄積装置１は、図１７に示すように、ネットワーク１００に接続可能で、コンテンツ蓄積依頼を、リモコン２以外にも、サーバ４や、ネットワーク接続可能な装置５などから受信してもかまわない。さらには、コンテンツ蓄積情報記憶手段に記憶しているコンテンツ管理テーブル３をサーバ４に記憶させておいてもよい。
【００７４】
これにより、複数台のコンテンツ蓄積装置１のコンテンツ管理テーブル３をサーバ４にて一括管理することも可能となる。さらには、コンテンツ管理テーブル３を記憶するサーバ４を運営することによって、コンテンツ蓄積装置１のユーザの嗜好情報を把握することもでき、嗜好情報にあわせた広告配信や、さらなる番組予約推薦などをコンテンツ蓄積装置１のユーザへ行うことも可能となる。
【実施例４】
【００７５】
本実施例では、上記実施例で説明したコンテンツ蓄積装置に加え、コンテンツ蓄積指示者や視聴状態に基づいて、表示するコンテンツ蓄積情報を抽出し、抽出したコンテンツ蓄積情報を表示する機能を有するコンテンツ蓄積装置について述べる。
【００７６】
具体的には、本実施例で述べるコンテンツ蓄積装置はコンテンツ蓄積情報を表示する際には、コンテンツ蓄積情報のうち、コンテンツ蓄積指示者がある特定のユーザであるようなコンテンツ蓄積情報を優先して表示する。ここでは、このようなある特定のコンテンツ蓄積指示者を、優先対象コンテンツ蓄積指示者と定義する。言い換えると、本実施例で述べるコンテンツ蓄積装置は、記憶されている全てのコンテンツ蓄積情報のうち、コンテンツ蓄積指示者が優先対象コンテンツ蓄積指示者であるコンテンツ蓄積情報がある場合は、コンテンツ蓄積指示者が優先対象コンテンツ蓄積指示者であるコンテンツ蓄積情報が、コンテンツ蓄積指示者が優先対象コンテンツ蓄積指示者でないコンテンツ蓄積情報よりも優先的に表示される。
【００７７】
本実施例におけるコンテンツ蓄積装置は、コンテンツ蓄積情報のうち、コンテンツ蓄積指示者が優先対象コンテンツ蓄積指示者であるコンテンツ蓄積情報のみを抽出し、優先して表示可能とする設定を、ユーザが行うことができるようにする。あるいはコンテンツ蓄積指示者が優先対象コンテンツ蓄積指示者であるコンテンツのみを抽出し、表示可能とするような設定を、ユーザが行うことができるようにする。そしてコンテンツ蓄積情報を表示する際には、コンテンツ蓄積指示者が設定された優先対象コンテンツ蓄積指示者であるコンテンツ蓄積情報のみを抽出し、表示する。あるいは表示するコンテンツを選択する際には、コンテンツ蓄積指示者が設定対象のユーザであるコンテンツのみを抽出し、表示可能とする。
【００７８】
これによりユーザは、複数のコンテンツ蓄積情報の中から、コンテンツ蓄積指示者が特定のユーザであるコンテンツ蓄積情報のみを優先して閲覧することが可能となる。例えばある家庭で「長男」が特定のジャンルの番組しか録画、視聴しようとせず、「父」が「長男」に対して「色々なジャンルの番組を視聴して、幅広い知識を身につけて欲しい」と思っている場合に、優先対象コンテンツ蓄積指示者を「父」として、「長男」が利用する蓄積装置に「父」が録画を行うことで、全ての録画番組のうち、「父」が録画した番組を優先して見るように促すことができる。
【００７９】
本実施例にかかるコンテンツ蓄積装置１の構成および機能を図１８に示す。図２と同じ部分には同一の参照番号を付し、その説明を繰り返さない。図１と図２と図１８を参照して、コンテンツ蓄積装置１は、入力受付部２ａで入力を受け付けると、入力処理部２ｂで入力の内容に応じて処理を行う。入力処理部２ｂの処理内容は、下記に説明するコンテンツ表示指示入力処理、コンテンツ蓄積情報表示指示入力処理、コンテンツ蓄積依頼入力処理、優先対象コンテンツ蓄積指示者指定入力処理の４つである。
【００８０】
優先対象コンテンツ蓄積指示者を指定する入力処理では、優先対象コンテンツ蓄積指示者指定入力によって指定された優先対象コンテンツ蓄積指示者情報を、優先対象コンテンツ指定情報記憶部２ｈへ記憶させる。このように、優先対象コンテンツ指定情報記憶部２ｈは、優先対象コンテンツ蓄積指示者情報を保持する。
【００８１】
図１９に、入力処理部の処理の流れについて示す。図３と同一部分には、同一の参照番号を付し、その説明を繰り返さない。図２と図１９を参照して、入力処理部２ｂは、入力受付部２ａからユーザ入力を取得する（ステップ３ａ）と、その入力がコンテンツ表示指示処理、コンテンツ蓄積情報表示指示処理、コンテンツ蓄積依頼処理、優先対象コンテンツ蓄積指示者指定入力処理、のどの処理を要求するものか判断する（ステップ３ｂ、３ｃ、３ｄ、３ｈ）。
【００８２】
図１８と図１９を参照して、ユーザ入力が優先対象コンテンツ蓄積指示者指定入力である場合（ステップ３ｈ）、入力処理部２ｂは優先対象コンテンツ指定情報記憶部２ｈへ、優先対象コンテンツ蓄積指示者情報を記憶する（ステップ３ｉ）。例えば入力処理部２ｂは、リモコン２に備えられた、例えば「優先ユーザ登録」のようなボタンが押下されることによる優先対象となるコンテンツ蓄積指示者の登録指示を受け付けると、優先対象コンテンツ蓄積支持者指定入力であると判断する。
【００８３】
そして優先対象コンテンツ蓄積指示者の指定を試みるユーザに対して、図２０のように、例えば「誰が録画した番組を最優先しますか？」と表示することによって、優先対象コンテンツ蓄積指示者入力画面を構成し、優先対象コンテンツ蓄積指示者を入力させる。ここで入力、あるいは選択されたユーザを優先対象コンテンツ蓄積指示者情報として、優先対象コンテンツ蓄積指示者として優先対象コンテンツ指定情報記憶部２ｈへ記憶する。
【００８４】
図２１を用いて、コンテンツ蓄積情報表示部が、コンテンツ蓄積情報を表示する処理について説明する。図２と図２１を参照して、入力処理部２ｂからコンテンツ蓄積情報の表示指示を受ける（ステップ２１ａ）と、コンテンツ蓄積情報表示部２ｃは、例えば図２２（Ａ）に示されるようなコンテンツ蓄積情報を取得する（ステップ２１ｂ）。
【００８５】
次に、コンテンツ蓄積情報表示部２ｃは、優先対象コンテンツ指定情報記憶部２ｈより、優先対象コンテンツ蓄積指示者情報を取得する（ステップ２１ｃ）。
【００８６】
そして、取得した図２２（Ａ）のようなコンテンツ蓄積情報のうち、視聴状態が「未視聴」、かつ、表している録画状態が「録画済」、かつ、コンテンツ蓄積指示者が、取得した優先対象コンテンツ蓄積指示者と同一である、コンテンツ蓄積情報を抽出する（ステップ２１ｄ）。
【００８７】
図２２（Ａ）のコンテンツ蓄積情報において、優先対象コンテンツ蓄積指示者を「父」としたときに抽出されるコンテンツ蓄積情報を図２２（Ｂ）に示す。図２２（Ｂ）のように、図２２（Ａ）のようなコンテンツ蓄積情報のうち、視聴状態が「未視聴」、かつ、表している録画状態が「録画済」、かつ、コンテンツ蓄積指示者が「父」と同一である、コンテンツ蓄積情報が抽出される。そして、抽出したコンテンツ蓄積情報を表示する（ステップ２１ｅ）。
【００８８】
なお、図２２（Ｃ）のように、全てのコンテンツ蓄積情報を表示し、抽出したコンテンツのみを、コンテンツ表示依頼の対象として選択できるとしてもよい。
【００８９】
図２３に抽出したコンテンツ蓄積情報の表示例を示す。このように、コンテンツ蓄積指示者が優先対象コンテンツ蓄積指示者であるコンテンツ蓄積情報のみを表示、あるいは、視聴可能とすることで、コンテンツ蓄積指示者が優先対象コンテンツ蓄積指示者であるコンテンツを、優先的に視聴させることができる。なお、図２４のように、全てのコンテンツ蓄積情報を表示し、抽出したコンテンツのみをコンテンツ表示依頼の対象として選択できるとしてもよい。
【００９０】
なお、録画状態は図２２（Ａ）では「録画済／予約」と表している。また、視聴状態が「未視聴」であるとは、そのコンテンツを蓄積してからそのコンテンツに対するコンテンツ表示依頼を１度も受け取っていないことを意味する。さらに、全てのコンテンツ蓄積情報のうち、コンテンツ蓄積指示者と、優先対象コンテンツ蓄積指示者と、が一致するものがなければ、コンテンツ蓄積情報表示部は、コンテンツ蓄積情報の一部、あるいは全部を表示する。
【００９１】
なお上記のコンテンツ蓄積装置は、コンテンツ蓄積対象者に基づいて表示するコンテンツ蓄積情報を抽出し、抽出したコンテンツ蓄積情報を表示する、としてもよい。具体的には、全てのコンテンツ蓄積情報のうち、コンテンツ蓄積対象者がある特定のユーザであるようなコンテンツ蓄積情報を抽出し、表示する。このようなユーザを「優先対象コンテンツ蓄積対象者」と呼ぶことにする。すなわち、コンテンツ蓄積情報記憶部に記憶されているコンテンツ蓄積情報のうち、コンテンツ蓄積対象者が優先対象コンテンツ蓄積対象者であるコンテンツ蓄積情報を抽出し、優先して表示する。例えば、優先対象コンテンツ指定情報記憶部に記憶している優先対象コンテンツ蓄積対象者が「父」である場合、コンテンツ蓄積情報を表示する際には、全てのコンテンツ蓄積情報のうち、コンテンツ蓄積対象者が「父」であり、かつ、録画済、であり、かつ、未視聴、であるコンテンツ蓄積情報を抽出し、優先して表示する。
【００９２】
また、コンテンツ蓄積指示者とコンテンツ蓄積対象者に基づいて表示するコンテンツ蓄積情報を抽出し、抽出したコンテンツ蓄積情報を表示する、としてもよい。具体的には、あるユーザを優先対象コンテンツ蓄積指示者に設定し、あるユーザを優先対象コンテンツ蓄積対象者に設定し、全てのコンテンツ蓄積情報のうち、コンテンツ蓄積指示者が優先対象コンテンツ蓄積指示者、であり、かつ、コンテンツ蓄積対象者が優先対象コンテンツ蓄積対象者であり、かつ、未視聴、であり、かつ、録画済、であるコンテンツ蓄積情報を抽出し、優先して表示する。
【００９３】
さらに、上記の優先対象コンテンツ蓄積指示者、あるいは、優先対象コンテンツ蓄積対象者、あるいは、優先対象コンテンツ蓄積指示者と優先対象コンテンツ蓄積対象者の組合せを複数設定できるとしてもよい。つまり、全てのコンテンツ蓄積情報のうち、コンテンツ蓄積指示者が優先対象コンテンツ蓄積指示者Ａであり、かつ、コンテンツ蓄積対象者が優先対象コンテンツ蓄積対象者Ｂであり、かつ、未視聴、であり、かつ、録画済、であるコンテンツ蓄積情報を抽出し、優先して表示する。または、コンテンツ蓄積指示者が優先対象コンテンツ蓄積指示者Ｃ、であり、かつ、コンテンツ蓄積対象者が優先対象コンテンツ蓄積対象者Ｄであり、かつ、未視聴、であり、かつ、録画済、であるコンテンツ蓄積情報を抽出し、優先して表示する。
【００９４】
具体的には、全てのコンテンツ蓄積情報のうち、コンテンツ蓄積指示者が「父」、であり、かつ、コンテンツ蓄積対象者が優先対象コンテンツ蓄積対象者「長男」、または、コンテンツ蓄積指示者が「母」、であり、かつ、コンテンツ蓄積対象者が優先対象コンテンツ蓄積対象者「長男」であり、かつ、未視聴、であり、かつ、録画済、であるコンテンツ蓄積情報を抽出し、優先して表示する。
【００９５】
また、上記のコンテンツ蓄積装置は、優先対象コンテンツ蓄積指示者や優先対象コンテンツ蓄積対象者をあらかじめ設定しておくのでなく、コンテンツ蓄積情報を表示する際に、その都度設定するとしてもよい。これによりユーザはコンテンツ蓄積情報を表示するときごとに、任意のコンテンツ蓄積指示者、あるいは、任意のコンテンツ蓄積対象者、あるいは、任意のコンテンツ蓄積指示者と任意のコンテンツ蓄積対象者、を含むコンテンツ蓄積情報のみを抽出し、閲覧することができる。
【００９６】
また、上記のコンテンツ蓄積装置は、コンテンツ蓄積指示者、あるいは、コンテンツ蓄積対象者、あるいは、コンテンツ蓄積指示者とコンテンツ蓄積対象者、に基づいて、コンテンツの蓄積の優先順位付けを行うとしてもよい。つまり、複数のコンテンツ蓄積依頼において、例えばＴＶ放送の放送時刻が重なっているなど、コンテンツの蓄積を実行する時刻が重なっている場合に、コンテンツ蓄積依頼情報における、コンテンツ蓄積指示者が優先対象コンテンツ蓄積指示者、あるいは、コンテンツ蓄積対象者が優先対象コンテンツ蓄積対象者、あるいは、コンテンツ蓄積指示者が優先対象コンテンツ蓄積対象者かつコンテンツ蓄積対象者が優先対象コンテンツ蓄積対象者、であるコンテンツ蓄積依頼を優先する。
【００９７】
具体的には、コンテンツ蓄積指示者が「父」であり、蓄積対象のＴＶ番組の放送開始時刻が１９時であり、同番組の放送終了時刻が２０時であり、ＴＶ放送の受信チャネルが８であるコンテンツ蓄積依頼があり、またコンテンツ蓄積指示者が「長男」であり、蓄積対象のＴＶ番組の放送開始時刻が１９時３０分であり、同番組の放送終了時刻が２０時５５分であり、ＴＶ放送の受信チャネルが６であるコンテンツ蓄積依頼があり、コンテンツ蓄積指示者が「父」であるコンテンツ蓄積依頼を優先し、コンテンツの蓄積を実行する場合には、１９時から２０時までの間は受信チャネルが８のＴＶ番組を蓄積し、２０時から２０時５５分までの間、受信チャネルが６のＴＶ番組を蓄積する。
【００９８】
また上記のコンテンツ蓄積装置は、複数のユーザが、例えば同一のＴＶ番組などの同一のコンテンツの蓄積を依頼した場合に、コンテンツ蓄積依頼情報を、コンテンツ蓄積指示者を複数持つ一つのコンテンツ蓄積依頼情報として記憶し、あるいは、コンテンツ蓄積指示者のみが異なるコンテンツ蓄積依頼情報を複数記憶するとしてもよい。
【００９９】
また、コンテンツ蓄積指示者を複数持つコンテンツ蓄積依頼情報におけるコンテンツ蓄積指示者が、該コンテンツ蓄積依頼情報の消去を試みる際には、該コンテンツ蓄積依頼情報における複数のコンテンツ蓄積指示者のうち、該コンテンツ蓄積指示者の情報のみを消去するとしてもよいし、該コンテンツ蓄積依頼情報の全てを消去するとしてもよい。
【０１００】
そして、複数のコンテンツ蓄積指示者をもつコンテンツ蓄積依頼情報、あるいは、コンテンツ蓄積指示者のみが異なる複数のコンテンツ蓄積依頼情報に基づいて、同一コンテンツをコンテンツ蓄積指示者の数だけ複製するなどし、複数蓄積するとしてもよい。もちろんコンテンツを一つだけ蓄積し、そのコンテンツを複数のコンテンツ蓄積指示者で共有してもよい。そして、該コンテンツのコンテンツ蓄積指示者が該コンテンツ、あるいは、該コンテンツのコンテンツ蓄積情報の消去を試みた場合に、該コンテンツ蓄積情報がコンテンツ蓄積指示者を複数持つ場合には該コンテンツ蓄積指示者のみを、コンテンツ蓄積指示者の情報のみが異なる該コンテンツのコンテンツ蓄積情報がコンテンツ蓄積指示者の数だけ記憶されている場合には該コンテンツ蓄積指示者をコンテンツ蓄積指示者にもつコンテンツ蓄積情報のみを消去するとしてもよい。
【０１０１】
なお、上記例では、あるユーザが、自身をコンテンツ蓄積指示者とするコンテンツの消去を試みるとしたが、自身をコンテンツ蓄積対象者とするコンテンツの消去を試みた場合にも、あるユーザが、自身をコンテンツ蓄積指示者とするコンテンツの消去を試みる場合と同等の処理を行うとしてもよい。
【０１０２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０３】
本発明は、テレビ放送などを録画するビデオ録画機に利用することができる。
【図面の簡単な説明】
【０１０４】
【図１】実施例１にかかるシステムの概略図
【図２】実施例１にかかるコンテンツ蓄積装置の構成および機能を説明するための図
【図３】入力処理部の処理の流れを示すフローチャート
【図４】ＴＶ放送の開始日時、受信チャネル、蓄積依頼指示者などの情報を入力する画面
【図５】コンテンツ蓄積依頼情報の構成要素を示す図
【図６】コンテンツ蓄積情報記憶部が入力処理部からコンテンツ蓄積依頼情報の記憶を指示されたときの処理の流れを示すフローチャート
【図７】（Ａ）コンテンツ蓄積情報表示部が行なう処理の流れを示すフローチャート、（Ｂ）コンテンツ蓄積情報の表示の要求を行なう構成要素を示す図
【図８】コンテンツ蓄積情報の表示例を示す図
【図９】コンテンツ表示部が行なう処理の流れを示すフローチャート
【図１０】表示するコンテンツを指定する様子を示す図
【図１１】実施例２にかかるコンテンツ管理テーブルの一例を示す図
【図１２】コンテンツ蓄積依頼情報の構成要素を示す図
【図１３】入力処理部の処理の流れを示すフローチャート
【図１４】ユーザにコンテンツ蓄積情報表示指示者を入力させる画面
【図１５】コンテンツ蓄積情報表示部の処理の流れを示すフローチャート
【図１６】コンテンツ蓄積情報の抽出例を示す図
【図１７】実施例３にかかるシステムの構成図
【図１８】実施例４にかかるコンテンツ蓄積装置の構成および機能を説明する図
【図１９】入力処理部の処理の流れを示すフローチャート
【図２０】優先対象となるコンテンツ蓄積指示者の入力画面
【図２１】コンテンツ蓄積情報表示部の処理の流れを示すフローチャート
【図２２】（Ａ）コンテンツ蓄積情報、（Ｂ）抽出されるコンテンツ蓄積情報、（Ｃ）抽出されるコンテンツ蓄積情報の他の態様
【図２３】抽出したコンテンツ蓄積情報の表示例を示す図
【図２４】抽出したコンテンツ蓄積情報の表示例の他の態様を示す図
【符号の説明】
【０１０５】
１  コンテンツ蓄積装置
２  リモコン
３  コンテンツ管理テーブル
７  システム
【図１】
2005341164.tif 000003
【図２】
2005341164.tif 000004
【図３】
2005341164.tif 000005
【図４】
2005341164.tif 000006
【図５】
2005341164.tif 000007
【図６】
2005341164.tif 000008
【図７】
2005341164.tif 000009
【図８】
2005341164.tif 000010
【図９】
2005341164.tif 000011
【図１１】
2005341164.tif 000012
【図１２】
2005341164.tif 000013
【図１３】
2005341164.tif 000014
【図１４】
2005341164.tif 000015
【図１５】
2005341164.tif 000016
【図１６】
2005341164.tif 000017
【図１８】
2005341164.tif 000018
【図１９】
2005341164.tif 000019
【図２０】
2005341164.tif 000020
【図２１】
2005341164.tif 000021
【図２３】
2005341164.tif 000022
【図１０】
2005341164.tif 000023
【図１７】
2005341164.tif 000024
【図２２】
2005341164.tif 000025
【図２４】
2005341164.tif 000026